【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
嚢切開を行う器具であって；
（ａ）近位端及び遠位端を有する主ハウジング；
（ｂ）水晶体を焼灼する拡縮可能な焼灼用要素であって、前記主ハウジングの前記遠位端に結合されるとともに、収縮形態と拡張形態との間で切り換えられるように構成されている、拡縮可能な焼灼用要素；
（ｃ）前記主ハウジングを通って長手方向に延在するとともに前記主ハウジングの前記遠位端から延出する内側ロッドであって、前記焼灼用要素が該内側ロッドの端に位置決めされる、内側ロッド；
（ｄ）前記主ハウジングを通って長手方向に延在するとともに前記主ハウジングの前記遠位端から延出する外側チューブであって、前記内側ロッドは該外側チューブの内部に配置され、前記内側ロッドは、前記焼灼用要素を拡縮させるように該外側チューブに対して移動可能である、外側チューブ；
（ｅ）摺動可能な成形要素であって、前記外側チューブ上で摺動可能であるとともに前記焼灼用要素によって包囲されるように前記外側チューブに接続されており、前記焼灼用要素を成形する、摺動可能な成形要素；及び
（ｆ）前記主ハウジングに結合して、電流を前記焼灼用要素に供給するとともに移動の制御を提供し、前記焼灼用要素の拡縮を制御する嚢切開・移動制御手段
を備え、前記収縮可能な焼灼用要素は、該焼灼用要素が収縮形態にあるときに小さい角膜切開部を通して眼内に挿入可能であり、前記焼灼用要素は、拡張形態にあって電流が印加されると所定のサイズの嚢切開を行うように構成されている、嚢切開を行う器具。
【請求項２】
前記焼灼用要素は、前記内側ロッドの端と前記外側チューブの先端部との間に取り付けられる、閉じた連続的な円周を有する円形の焼灼部を作る少なくとも１つの導電性バンドを含み、該少なくとも１つのバンドは、ともに同じ位置にある開始地点及び終端地点を有する、請求項１に記載の器具。
【請求項３】
前記焼灼用要素は、前記内側ロッドの端と前記外側チューブの先端部との間に取り付けられる、全体に閉じた連続的な円周を有する円形の焼灼部を作る封止された隙間のないリングを含む、請求項１に記載の器具。
【請求項４】
前記焼灼用要素は２つの導電性バンドを含み、該２つのバンドはそれぞれ、前記内側ロッドの端と前記外側チューブの先端部との間にそれぞれ接続される開始地点及び終端地点を有する、請求項１に記載の器具。
【請求項５】
前記外側チューブは前記内側ロッドから電気的に絶縁され、前記外側チューブ及び前記内側ロッドのそれぞれは電気回路の反対の極を画定する、請求項１に記載の器具。
【請求項６】
前記外側チューブは、その端領域に外周方向に切り欠かれた延長部を含み、前記外側チューブは、前記切り欠かれた延長部が終端する位置である先端部を更に含む、請求項１に記載の器具。
【請求項７】
前記収縮形態では、前記バンドは互いに対して実質的に平行に、前記切り欠かれた延長部の上に位置決めされ、前記最大限に拡張した形態では、前記バンドは互いに実質的な円を形成するように凹状にアーチ状になっている、請求項１に記載の器具。
【請求項８】
前記バンドは、前記内側ロッドの高さよりも高い高さを有する、請求項１に記載の器具。
【請求項９】
前記外側チューブの前記先端部に向かう前記内側ロッドの移動によって、前記焼灼用要素が前記収縮形態から前記拡張形態に切り換わる、請求項１に記載の器具。
【請求項１０】
前記焼灼用要素は使用前に取り出し可能であり、前記嚢切開のサイズを選択するために種々のサイズの焼灼用要素から選択することができる、請求項１に記載の器具。
【請求項１１】
前記摺動可能な成形要素は生体適合性の非導電性材料から作られる、請求項１に記載の器具。
【請求項１２】
前記摺動可能な成形要素は非導電性材料によって絶縁される、請求項１に記載の器具。
【請求項１３】
前記摺動可能な成形要素は、前記焼灼用要素の実質的に完全な円形を提供するように前進されて前記終端地点に押し当てられる、請求項１に記載の器具。
【請求項１４】
前記摺動可能な成形要素は前記焼灼用要素の楕円形状を提供する、請求項１に記載の器具。
【請求項１５】
前記導電性バンドのそれぞれは３つのブレードを含み、該ブレードは２つの外側ブレード及び１つの中間ブレードを含み、前記バンドは互いに重なる、請求項４に記載の器具。
【請求項１６】
前記外側ブレードは、温度をおよそ４１℃未満に維持する生体適合性の断熱材によってコーティングされる、請求項１５に記載の器具。
【請求項１７】
前記中間ブレードは、その長さに沿って前記外側ブレードから突出するように該外側ブレードの上に位置決めされ、それによって効果的な焼灼のために前記水晶体と接触し、前記中間ブレードは、該中間ブレードの電気抵抗を高め、したがって前記水晶体と接触する該中間ブレードの熱伝達を高めるように狭まった幅を有する、請求項１５に記載の器具。
【請求項１８】
前記内側ロッドは前記開始地点付近に溝を有し、該溝は、適切な焼灼を達成するために前記開始地点の温度を上昇させるように該地点における電気抵抗を高める、請求項１５に記載の器具。
【請求項１９】
前記外側チューブは、その端領域に外周方向に切り欠かれた延長部を含み、前記外側チューブの遠位端が上方に９０度曲げられて、前記単一のバンドにはんだ付けされるプレート延長部を形成し、該プレートによって前記バンドが円形形態をとる、請求項１に記載の器具。
【請求項２０】
前記２つの導電性バンドは前記開始地点及び前記終端地点において互いに重なり、前記焼灼用要素の各端に旗形の領域を形成し、前記重なりによって、閉じた連続的な円周を有する円形の焼灼部を作ることが可能となる、請求項１に記載の器具。
【請求項２１】
前記内側ロッドは、ユーザーが前記嚢切開の領域の位置を特定することを助けるために、前記拡張した焼灼用要素の中央に位置付けられる、該内側ロッドに印が付される位置確認地点を有する、請求項１に記載の器具。
【請求項２２】
前記電流は、少なくとも１つの比較的短い持続時間のパルス、それに続く少なくとも１つの比較的長い持続時間のパルスを含む波形に従って供給される、請求項１に記載の器具。
【請求項２３】
前記比較的短い持続時間のパルスは、各パルス間に可変の時間間隔を含む、請求項２２に記載の器具。
【請求項２４】
嚢切開処置を行うシステムであって；
（ａ）請求項１に記載の前記嚢切開用器具；及び
（ｂ）嚢切開・移動制御ユニット；
を備え、前記器具は、前記焼灼用要素が拡張して加熱されると水晶体嚢に開口部が焼灼されるように、前記焼灼用要素に電流及び移動の制御を提供する前記嚢切開・移動制御ユニットに接続される、嚢切開処置を行うシステム。
【請求項２５】
前記器具と前記嚢切開・移動制御ユニットとの間を接続するハンドルを更に備える、請求項２４に記載のシステム。
【請求項２６】
前記電流は、少なくとも１つの比較的短い持続時間のパルス、それに続く少なくとも１つの比較的長い持続時間のパルスを含む波形に従って供給される、請求項２４に記載のシステム。
【請求項２７】
前記比較的短い持続時間のパルスは、各パルス間に可変の時間間隔を含む、請求項２６に記載のシステム。
【請求項２８】
前記波形は、前記比較的長い持続時間のパルスのみを含む、請求項２６に記載のシステム。
【請求項２９】
前記波形は、前記少なくとも１つの比較的短い持続時間のパルスのみを含む、請求項２６に記載のシステム。